【手続補正書】
【提出日】平成22年10月5日(2010.10.5)
【手続補正１】
【補正対象書類名】明細書
【補正対象項目名】発明の名称
【補正方法】変更
【補正の内容】
【発明の名称】発光装置および電子装置
【手続補正２】
【補正対象書類名】特許請求の範囲
【補正対象項目名】全文
【補正方法】変更
【補正の内容】
【特許請求の範囲】
【請求項１】
発光素子が設けられた第１の基板と、
前記第１の基板に向かい合う第２の基板と、を有し、
前記第２の基板は、前記第１の基板に向かい合う面において、第１の領域と、前記第１の領域の内側に第２の領域と、を有し、前記第２の領域は前記第１の領域に対して凹状であり、
前記第１の領域および前記第２の領域は、それぞれ微細な凹凸を有し、
前記微細な凹凸を有する前記第１の領域に接して、前記第１の基板と前記第２の基板とを接着する接着剤が設けられている
ことを特徴とする発光装置。
【請求項２】
発光素子が設けられた第１の基板と、
前記第１の基板に向かい合う第２の基板と、を有し、
前記第２の基板は、前記第１の基板に向かい合う面において、第１の領域と、前記第１の領域の内側に第２の領域と、前記第２の領域の内側に第３の領域と、を有し、前記第２の領域は前記第１の領域に対して凹状であり、前記第３の領域は前記第２の領域に対して凹状であり、
前記第１の領域、前記第２の領域および前記第３の領域は、それぞれ微細な凹凸を有し、
前記微細な凹凸を有する前記第１の領域に接して、前記第１の基板と前記第２の基板とを接着する接着剤が設けられており、
前記第３の領域には乾燥剤が設けられている
ことを特徴とする発光装置。
【請求項３】
発光素子が設けられた第１の基板と、
前記第１の基板に向かい合う第２の基板と、を有し、
前記第２の基板は、前記第１の基板に向かい合う面において、第１の領域と、前記第１の領域の内側に第２の領域と、前記第２の領域の内側に第３の領域と、を有し、前記第２の領域は前記第１の領域に対して凹状であり、前記第３の領域は前記第２の領域に対して凹状であり、
前記第１の領域、前記第２の領域および前記第３の領域は、それぞれ微細な凹凸を有し、
前記微細な凹凸を有する前記第１の領域に接して、前記第１の基板と前記第２の基板とを接着する第１の接着剤が設けられており、
前記第３の領域には乾燥剤が設けられており、
前記微細な凹凸を有する前記第３の領域に接して、前記乾燥剤と前記第２の基板とを接着する第２の接着剤が設けられている
ことを特徴とする発光装置。
【請求項４】
発光素子が設けられた第１の基板と、
前記第１の基板に向かい合う第２の基板と、を有し、
前記第２の基板は、前記第１の基板に向かい合う面において、第１の領域と、前記第１の領域の内側に第２の領域と、を有し、前記第２の領域は前記第１の領域に対して凹状であり、
前記第１の領域および前記第２の領域は、それぞれ微細な凹凸を有し、
前記微細な凹凸を有する前記第１の領域に接して、前記第１の基板と前記第２の基板とを接着する接着剤が設けられており、
前記発光素子からの放射光は前記第２の領域に設けられた前記微細な凹凸を通り、前記第２の基板を通って外部に取り出される
ことを特徴とする発光装置。
【請求項５】
発光素子が設けられた第１の基板と、
前記第１の基板に向かい合う第２の基板と、を有し、
前記第２の基板は、前記第１の基板に向かい合う面において、第１の領域と、前記第１の領域の内側に第２の領域と、前記第２の領域の内側に第３の領域と、を有し、前記第２の領域は前記第１の領域に対して凹状であり、前記第３の領域は前記第２の領域に対して凹状であり、
前記第１の領域、前記第２の領域および前記第３の領域は、それぞれ微細な凹凸を有し、
前記微細な凹凸を有する前記第１の領域に接して、前記第１の基板と前記第２の基板とを接着する接着剤が設けられており、
前記第３の領域には乾燥剤が設けられており、
前記発光素子からの光は前記第２の領域に設けられた前記微細な凹凸を通り、前記第２の基板を通って外部に取り出される
ことを特徴とする発光装置。
【請求項６】
発光素子が設けられた第１の基板と、
前記第１の基板に向かい合う第２の基板と、を有し、
前記第２の基板は、前記第１の基板に向かい合う面において、第１の領域と、前記第１の領域の内側に第２の領域と、前記第２の領域の内側に第３の領域と、を有し、前記第２の領域は前記第１の領域に対して凹状であり、前記第３の領域は前記第２の領域に対して凹状であり、
前記第１の領域、前記第２の領域および前記第３の領域は、それぞれ微細な凹凸を有し、
前記微細な凹凸を有する前記第１の領域に接して、前記第１の基板と前記第２の基板とを接着する第１の接着剤が設けられており、
前記第３の領域には乾燥剤が設けられており、
前記微細な凹凸を有する前記第３の領域に接して、前記乾燥剤と前記第２の基板とを接着する第２の接着剤が設けられており、
前記発光素子からの光は前記第２の領域に設けられた前記微細な凹凸を通り、前記第２の基板を通って外部に取り出される
ことを特徴とする発光装置。
【請求項７】
請求項１乃至請求項６のいずれか一項において、
前記第１の基板および前記第２の基板はガラス基板であることを特徴とする発光装置。
【請求項８】
請求項２、３、５または６において、
前記乾燥剤はフィルムで覆われていることを特徴とする発光装置。
【請求項９】
請求項１乃至請求項８のいずれか一項において、
前記微細な凹凸は、凹部と凸部の高さの差が０．１μｍ乃至３μｍの範囲にあり、前記凸部の先端の間隔が０．０５μｍ乃至１μｍの範囲にあることを特徴とする発光装置。
【請求項１０】
発光素子が設けられた第１の基板と、
前記第１の基板に向かい合う第２の基板と、を有し、
前記第２の基板は、前記第１の基板に向かい合う面において、第１の領域と、前記第１の領域の内側に第２の領域と、を有し、前記第２の領域は前記第１の領域に対して凹状であり、
前記第１の領域および前記第２の領域は、それぞれ微細な凹凸を有し、
前記微細な凹凸を有する前記第１の領域に接して、前記第１の基板と前記第２の基板とを接着する接着剤が設けられている
ことを特徴とする電子装置。
【請求項１１】
発光素子が設けられた第１の基板と、
前記第１の基板に向かい合う第２の基板と、を有し、
前記第２の基板は、前記第１の基板に向かい合う面において、第１の領域と、前記第１の領域の内側に第２の領域と、前記第２の領域の内側に第３の領域と、を有し、前記第２の領域は前記第１の領域に対して凹状であり、前記第３の領域は前記第２の領域に対して凹状であり、
前記第１の領域、前記第２の領域および前記第３の領域は、それぞれ微細な凹凸を有し、
前記微細な凹凸を有する前記第１の領域に接して、前記第１の基板と前記第２の基板とを接着する接着剤が設けられており、
前記第３の領域には乾燥剤が設けられている
ことを特徴とする電子装置。
【請求項１２】
発光素子が設けられた第１の基板と、
前記第１の基板に向かい合う第２の基板と、を有し、
前記第２の基板は、前記第１の基板に向かい合う面において、第１の領域と、前記第１の領域の内側に第２の領域と、前記第２の領域の内側に第３の領域と、を有し、前記第２の領域は前記第１の領域に対して凹状であり、前記第３の領域は前記第２の領域に対して凹状であり、
前記第１の領域、前記第２の領域および前記第３の領域は、それぞれ微細な凹凸を有し、
前記微細な凹凸を有する前記第１の領域に接して、前記第１の基板と前記第２の基板とを接着する第１の接着剤が設けられており、
前記第３の領域には乾燥剤が設けられており、
前記微細な凹凸を有する前記第３の領域に接して、前記乾燥剤と前記第２の基板とを接着する第２の接着剤が設けられている
ことを特徴とする電子装置。
【請求項１３】
発光素子が設けられた第１の基板と、
前記第１の基板に向かい合う第２の基板と、を有し、
前記第２の基板は、前記第１の基板に向かい合う面において、第１の領域と、前記第１の領域の内側に第２の領域と、を有し、前記第２の領域は前記第１の領域に対して凹状であり、
前記第１の領域および前記第２の領域は、それぞれ微細な凹凸を有し、
前記微細な凹凸を有する前記第１の領域に接して、前記第１の基板と前記第２の基板とを接着する接着剤が設けられており、
前記発光素子からの放射光は前記第２の領域に設けられた前記微細な凹凸を通り、前記第２の基板を通って外部に取り出される
ことを特徴とする電子装置。
【請求項１４】
発光素子が設けられた第１の基板と、
前記第１の基板に向かい合う第２の基板と、を有し、
前記第２の基板は、前記第１の基板に向かい合う面において、第１の領域と、前記第１の領域の内側に第２の領域と、前記第２の領域の内側に第３の領域と、を有し、前記第２の領域は前記第１の領域に対して凹状であり、前記第３の領域は前記第２の領域に対して凹状であり、
前記第１の領域、前記第２の領域および前記第３の領域は、それぞれ微細な凹凸を有し、
前記微細な凹凸を有する前記第１の領域に接して、前記第１の基板と前記第２の基板とを接着する接着剤が設けられており、
前記第３の領域には乾燥剤が設けられており、
前記発光素子からの光は前記第２の領域に設けられた前記微細な凹凸を通り、前記第２の基板を通って外部に取り出される
ことを特徴とする電子装置。
【請求項１５】
発光素子が設けられた第１の基板と、
前記第１の基板に向かい合う第２の基板と、を有し、
前記第２の基板は、前記第１の基板に向かい合う面において、第１の領域と、前記第１の領域の内側に第２の領域と、前記第２の領域の内側に第３の領域と、を有し、前記第２の領域は前記第１の領域に対して凹状であり、前記第３の領域は前記第２の領域に対して凹状であり、
前記第１の領域、前記第２の領域および前記第３の領域は、それぞれ微細な凹凸を有し、
前記微細な凹凸を有する前記第１の領域に接して、前記第１の基板と前記第２の基板とを接着する第１の接着剤が設けられており、
前記第３の領域には乾燥剤が設けられており、
前記微細な凹凸を有する前記第３の領域に接して、前記乾燥剤と前記第２の基板とを接着する第２の接着剤が設けられており、
前記発光素子からの光は前記第２の領域に設けられた前記微細な凹凸を通り、前記第２の基板を通って外部に取り出される
ことを特徴とする電子装置。
【請求項１６】
請求項１０乃至請求項１５のいずれか一項において、
前記第１の基板および前記第２の基板はガラス基板であることを特徴とする電子装置。
【請求項１７】
請求項１１、１２、１４または１５において、
前記乾燥剤はフィルムで覆われていることを特徴とする電子装置。
【請求項１８】
請求項１０乃至請求項１７のいずれか一項において、
前記微細な凹凸は、凹部と凸部の高さの差が０．１μｍ乃至３μｍの範囲にあり、前記凸部の先端の間隔が０．０５μｍ乃至１μｍの範囲にあることを特徴とする電子装置。
【請求項１９】
請求項１０乃至請求項１８のいずれか一項に記載の電子装置は、携帯電話、モバイルコンピュータ、携帯型情報端末、携帯書籍、ビデオカメラ、パーソナルコンピュータまたは画像再生装置であることを特徴とする電子装置。